(57)【要約】  本発明に係る空気調和システムは、第１室内熱交換器、及び蒸発器として機能する第２室内熱交換器を有する第１冷媒回路と、凝縮器として機能する第３室内熱交換器を有する第２冷媒回路と、前記第１室内熱交換器が収納された第１筐体を有する室内機と、前記第２室内熱交換器及び前記第３室内熱交換器が収納された第２筐体を有する外気供給ユニットと、を備え、前記室内機では、前記第１筐体に吸い込まれた空調対象空間の空気と前記第１室内熱交換器を流れる冷媒との間で熱交換が行われ、熱交換後の空気が前記空調対象空間へ吹き出され、前記外気供給ユニットでは、前記第２筐体に吸い込まれた外気が前記空調対象空間へ吹き出され、前記第２筐体内での外気の流れ方向において、前記第２室内熱交換器が前記第３室内熱交換器の上流側に配置されている。
2019193680.tif 000002
【特許請求の範囲】
【請求項１】
第１室内熱交換器、及び蒸発器として機能する第２室内熱交換器を有する第１冷媒回路と、
凝縮器として機能する第３室内熱交換器を有する第２冷媒回路と、
第１吸込口及び第１吹出口を備えており前記第１室内熱交換器が収納された第１筐体を有する室内機と、
第２吸込口及び第２吹出口を備えており前記第２室内熱交換器及び前記第３室内熱交換器が収納された第２筐体を有する外気供給ユニットと、
を備え、
前記室内機では、前記第１吸込口から前記第１筐体に吸い込まれた空調対象空間の空気と前記第１室内熱交換器を流れる冷媒との間で熱交換が行われ、熱交換後の空気が前記第１吹出口から吹き出され、
前記外気供給ユニットでは、前記第２吸込口から前記第２筐体に吸い込まれた外気が前記第２吹出口から吹き出され、
前記第２吸込口から前記第２吹出口へ至る外気の流れ方向において、
前記第２室内熱交換器が前記第３室内熱交換器の上流側に配置されている空気調和システム。
【請求項２】
前記空調対象空間の空気の絶対湿度が第１絶対湿度となっている状態を第１湿度状態とし、
前記空調対象空間の空気の絶対湿度が第１絶対湿度よりも低い第２絶対湿度となっている状態を第２湿度状態とした場合、
前記第１湿度状態において前記第２室内熱交換器を流れる冷媒の蒸発温度は、前記第２湿度状態において前記第２室内熱交換器を流れる冷媒の蒸発温度よりも低い請求項１に記載の空気調和システム。
【請求項３】
前記外気供給ユニットの前記第２吹出口から吹き出される空気の温度が第１温度となっている状態を第１吹出状態とし、
前記外気供給ユニットの前記第２吹出口から吹き出される空気の温度が前記第１温度よりも低い第２温度となっている状態を第２吹出状態とした場合、
前記第１吹出状態において前記第３室内熱交換器を流れる冷媒の凝縮温度は、前記第２吹出状態において前記第３室内熱交換器を流れる冷媒の凝縮温度よりも低い請求項１又は請求項２に記載の空気調和システム。
【請求項４】
前記第２冷媒回路は、前記第３室内熱交換器に流れる冷媒の量を調節する膨張弁を備え、
前記第３室内熱交換器を流れる冷媒の凝縮温度が一定になっている状態において、前記外気供給ユニットの前記第２吹出口から吹き出される空気の温度が低下する場合、前記膨張弁の開度が小さくなる請求項１〜請求項３のいずれか一項に記載の空気調和システム。
【発明の詳細な説明】
【技術分野】
【０００１】
本発明は、空調対象空間に外気を供給する外気供給ユニットを備えた空気調和システムに関する。
【背景技術】
【０００２】
従来、空調対象空間に外気を供給する外気供給ユニットを備え、空調対象空間の換気を可能にした空気調和システムが知られている。外気供給ユニットを備えた従来の空気調和システムは、内部に収納された室内熱交換器によって空調対象空間の空気を冷却又は加熱する室内機を備えている。また、外気供給ユニットを備えた従来の空気調和システムには、外気供給ユニットに取り込んだ外気を除湿して空調対象空間に供給する空気調和システムも提案されている。【０００３】
上述のように除湿された外気を空調対象空間に供給する空気調和システムの場合、外気を冷却することによって除湿する。このため、空調対象空間に除湿された外気が供給された際、空調対象空間に存在する人が冷風感を感じてしまう。このため、除湿された外気を空調対象空間に供給する従来の空気調和システムには、除湿された外気を外気供給ユニット内で加熱し、空調対象空間に供給する空気調和システムも提案されている（特許文献１参照）。除湿された外気を適切な温度に加熱して空調対象空間に供給することができれば、空調対象空間の快適性を損なうことなく、外気の除湿を行うことができる。以下、除湿された外気を加熱して空調対象空間に供給する外気供給ユニットの動作を、再熱除湿動作と称する。
【先行技術文献】
【特許文献】
【０００４】
【特許文献１】特開２００６−３１３０２７号公報
【発明の概要】
【発明が解決しようとする課題】
【０００５】
特許文献１に記載の空気調和システムは、蒸発器及び凝縮器を有する冷媒回路を備えている。当該冷媒回路の蒸発器及び凝縮器は、外気供給ユニットに収納されている。そして、特許文献１に記載の空気調和システムは、蒸発器によって外気供給ユニットに取り込まれた外気を冷却して除湿し、凝縮器によって除湿された外気の加熱を行っている。すなわち、特許文献１に記載の空気調和システムは、１つの冷媒回路の蒸発器及び凝縮器によって、外気の除湿及び加熱を行っている。【０００６】
外気をどの程度除湿するかは、外気をどの程度冷却するのかによって決まる。すなわち、外気を所望の湿度にするためには、蒸発器を流れる冷媒の蒸発温度を調節する必要がある。また、除湿後の外気を所望の温度に加熱するためには、凝縮器を流れる冷媒の凝縮温度を調節する必要がある。しかしながら、１つの冷媒回路において、蒸発器を流れる冷媒の蒸発温度と凝縮器を流れる冷媒の凝縮温度とを独立して調節することは非常に困難である。したがって、特許文献１に記載の空気調和システムは、外気供給ユニットが再熱除湿動作を行う際、除湿後の外気を所望の温度に加熱することができない。このため、特許文献１に記載の空気調和システムは、外気供給ユニットが再熱除湿動作を行う際、外気供給ユニットから吹き出される空気の温度を制御できず、空調対象空間の快適性を保つことができない場合があるという課題があった。【０００７】
ここで、再熱除湿動作の際に外気供給ユニットから吹き出される空気の温度を制御するために、外気供給ユニットに、除湿後の外気を加熱するヒータ等の新たな熱源機を設けることが考えられる。ここで、外気供給ユニットが再熱除湿動作を行う従来の空気調和システムは、空調対象空間の空気の加熱又は冷却を行う室内機に収納された室内熱交換器を有する冷媒回路と、外気供給ユニットに収納された室内熱交換器を有する冷媒回路とを備えている。このため、除湿後の外気を加熱するヒータ等の新たな熱源機を設ける場合、空気調和システムは、上述の２つの冷媒回路に加え、さらにヒータ等の新たな熱源機を備える必要がある。したがって、外気供給ユニットにヒータ等の新たな熱源機を設けた場合、空気調和システムのコストが上昇してしまうという課題が発生する。【０００８】
本発明は、上述の課題を解決するためになされたものであり、再熱除湿動作の際に外気供給ユニットから吹き出される空気の温度を制御することができ、コストの上昇を抑制することもできる空気調和システムを提案することを目的とする。
【課題を解決するための手段】
【０００９】
本発明に係る空気調和システムは、第１室内熱交換器、及び蒸発器として機能する第２室内熱交換器を有する第１冷媒回路と、凝縮器として機能する第３室内熱交換器を有する第２冷媒回路と、第１吸込口及び第１吹出口を備えており前記第１室内熱交換器が収納された第１筐体を有する室内機と、第２吸込口及び第２吹出口を備えており前記第２室内熱交換器及び前記第３室内熱交換器が収納された第２筐体を有する外気供給ユニットと、を備え、前記室内機では、前記第１吸込口から前記第１筐体に吸い込まれた空調対象空間の空気と前記第１室内熱交換器を流れる冷媒との間で熱交換が行われ、熱交換後の空気が前記第１吹出口から吹き出され、前記外気供給ユニットでは、前記第２吸込口から前記第２筐体に吸い込まれた外気が前記第２吹出口から吹き出され、前記第２吸込口から前記第２吹出口へ至る外気の流れ方向において、前記第２室内熱交換器が前記第３室内熱交換器の上流側に配置されている。
【発明の効果】
【００１０】
本発明に係る空気調和システムにおいては、外気供給ユニットが再熱除湿動作を行う際、外気供給ユニットの第２筐体に吸い込まれた外気は、第１冷媒回路の第２室内熱交換器で冷却されて除湿される。また、本発明に係る空気調和システムにおいては、外気供給ユニットが再熱除湿動作を行う際、除湿された外気は、第２室内熱交換器を有する第１冷媒回路とは異なる第２冷媒回路の第３室内熱交換器で加熱される。このため、本発明に係る空気調和システムにおいては、再熱除湿動作の際に外気供給ユニットから吹き出される空気の温度を制御することができる。また、本発明に係る空気調和システムの外気供給ユニットは、室内機に収納された第１室内熱交換器を有する第１冷媒回路と、外気供給ユニットに収納された第３室内熱交換器を有する第２冷媒回路とを用いて、再熱除湿動作を行うことができる。すなわち、本発明に係る空気調和システムにおいては、外気供給ユニットが再熱除湿動作を行う際、第１冷媒回路及び第２冷媒回路以外に、ヒータ等の新たな熱源を必要としない。このため、本発明に係る空気調和システムは、コストの上昇を抑制することもできる。
【図面の簡単な説明】
【００１１】
【図１】本発明の実施の形態１に係る空気調和システムの概略構成を示す図である。
【図２】本発明の実施の形態１に係る空気調和システムの第１冷媒回路を示す冷媒回路図である。
【図３】本発明の実施の形態１に係る空気調和システムの第２冷媒回路を示す冷媒回路図である。
【図４】本発明の実施の形態１に係る空気調和システムの外気供給ユニットの概略構成を示す図である。
【図５】本発明の実施の形態１に係る空気調和システムの制御装置を示すブロック図である。
【図６】本発明の実施の形態１に係る空気調和システムにおいて外気供給ユニットが再熱除湿動作を行っている際の、外気供給ユニットを通過する外気の状態変化を示した空気線図である。
【図７】本発明の実施の形態１に係る空気調和システムにおける第２室内熱交換器の目標蒸発温度の決定方法の一例を説明するための図である。
【図８】本発明の実施の形態１に係る空気調和システムにおける第３室内熱交換器の目標凝縮温度の決定方法の一例を説明するための図である。
【図９】本発明の実施の形態１に係る空気調和システムにおいて外気供給ユニットが再熱除湿動作を行う際の制御フローの一例を示す図である。
【発明を実施するための形態】
【００１２】
以下、各実施の形態において、本発明に係る空気調和システムの一例を紹介する。なお、本発明に係る空気調和システムの具体的な構成は、以下の各実施の形態で示す構成に限定されるものではなく、発明の要旨を逸脱しない範囲で適宜変更可能である。
【００１３】
実施の形態１．
図１は、本発明の実施の形態１に係る空気調和システムの概略構成を示す図である。図２は、本発明の実施の形態１に係る空気調和システムの第１冷媒回路を示す冷媒回路図である。図３は、本発明の実施の形態１に係る空気調和システムの第２冷媒回路を示す冷媒回路図である。図４は、本発明の実施の形態１に係る空気調和システムの外気供給ユニットの概略構成を示す図である。
【００１４】
図１に示すように、本実施の形態１に係る空気調和システム１００は、第１室外機３、室内機４、第２室外機８及び外気供給ユニット３０を備えている。第１室外機３及び第２室外機８は、屋外に配置されている。室内機４は、内部が空調対象空間となる部屋１０１の天井裏１０２に設けられている。室内機４は、部屋１０１内の空気を吸い込んで冷却又は加熱し、冷却又は加熱された空気を部屋１０１内へ吹き出すものである。なお、本実施の形態１に係る空気調和システム１００は３つの室内機４を備えているが、室内機４の数は任意である。外気供給ユニット３０は、外気を取り込み、該外気を部屋１０１内に供給するものである。外気供給ユニット３０は、部屋１０１の天井裏１０２に設けられている。また、図２及び図３に示すように、空気調和システム１００は、第１冷媒回路１及び第２冷媒回路２を備えている。第１冷媒回路１及び第２冷媒回路２の各構成は、第１室外機３、室内機４、第２室外機８及び外気供給ユニット３０のいずれかに収納されている。
【００１５】
詳しくは、図２に示すように、第１冷媒回路１は、圧縮機１０、室外熱交換器１１、膨張弁１２、膨張弁１３、第１室内熱交換器１４、及び第２室内熱交換器１５を備えている。圧縮機１０は、冷媒を圧縮するものである。室外熱交換器１１は、凝縮器として機能する熱交換器である。室外熱交換器１１は、圧縮機１０の吐出口と接続されている。また、室外熱交換器１１は、膨張弁１２を介して第１室内熱交換器１４とも接続されている。圧縮機１０及び室外熱交換器１１は、第１室外機３に収納されている。また、第１室外機３には、室外機ファン１７も収納されている。室外機ファン１７は、室外熱交換器１１に、該室外熱交換器１１を流れる冷媒の熱交換対象である外気を供給するものである。
【００１６】
膨張弁１２は、冷媒を膨張させて減圧させるものである。第１室内熱交換器１４は、蒸発器として機能する熱交換器である。第１室内熱交換器１４は、上述のように、膨張弁１２を介して室外熱交換器１１に接続されている。また、第１室内熱交換器１４は、圧縮機１０の吸入口と接続されている。膨張弁１２及び第１室内熱交換器１４は、室内機４の第１筐体５に収納されている。また、室内機４の第１筐体５には、室内機ファン１８も収納されている。なお、上述のように、本実施の形態１では、空気調和システム１００は、３つの室内機４を備えている。このため、第１冷媒回路１には、膨張弁１２及び第１室内熱交換器１４の組が３つ設けられている。そして、膨張弁１２及び第１室内熱交換器１４の組のそれぞれは、室外熱交換器１１と圧縮機１０の吸入口との間に、並列に接続されている。
【００１７】
図１を用いて室内機４について更に説明すると、第１筐体５は、部屋１０１内と連通する第１吸込口６及び第１吹出口７を備えている。第１筐体５内で室内機ファン１８が回転すると、第１吸込口６から第１筐体５に、部屋１０１内の空気が吸い込まれる。そして、第１筐体５に吸い込まれた空気は、第１室内熱交換器１４を流れる冷媒と熱交換する。そして、熱交換後の空気は、第１吹出口７から部屋１０１内へ吹き出される。なお、上述のように第１室内熱交換器１４は、蒸発器として機能する。この場合、室内機４は冷房運転を行うこととなる。すなわち、第１筐体５に吸い込まれた空気は、第１室内熱交換器１４を流れる冷媒によって冷却される。ここで、後述のように、本実施の形態１に係る第１冷媒回路１は、圧縮機１０の吐出口の接続先を切り替える四方弁１６を備えている。この四方弁１６によって圧縮機１０の吐出口の接続先を切り替えることにより、第１室内熱交換器１４は、凝縮器として機能することとなる。この場合、室内機４は暖房運転を行うこととなる。すなわち、第１筐体５に吸い込まれた空気は、第１室内熱交換器１４を流れる冷媒によって加熱される。
【００１８】
再び、図２に着目する。膨張弁１３は、冷媒を膨張させて減圧させるものである。第２室内熱交換器１５は、蒸発器として機能する熱交換器である。第２室内熱交換器１５は、膨張弁１３を介して室外熱交換器１１に接続されている。また、第２室内熱交換器１５は、圧縮機１０の吸入口と接続されている。すなわち、膨張弁１３及び第２室内熱交換器１５は、室外熱交換器１１と圧縮機１０の吸入口との間に、膨張弁１２及び第１室内熱交換器１４と並列に接続されている。膨張弁１３及び第２室内熱交換器１５は、外気供給ユニット３０の第２筐体３１に収納されている。外気供給ユニット３０の詳細については、後述する。
【００１９】
なお、図２に示すように、本実施の形態１に係る第１冷媒回路１は、室内機４において冷房運転及び暖房運転の双方を可能とするため、圧縮機１０の吐出側に設けられた四方弁１６を備えている。この四方弁１６は、圧縮機１０の吐出口の接続先を、切り替えるものである。詳しくは、圧縮機１０の吐出口が室外熱交換器１１と接続される状態に四方弁１６の流路がなっている場合、圧縮機１０の吸入口は、第１室内熱交換器１４及び第２室内熱交換器１５と接続される。この場合、室外熱交換器１１は凝縮器として機能し、第１室内熱交換器１４及び第２室内熱交換器１５は蒸発器として機能する。また、圧縮機１０の吐出口が第１室内熱交換器１４及び第２室内熱交換器１５と接続される状態に四方弁１６の流路がなっている場合、圧縮機１０の吸入口は、室外熱交換器１１と接続される。この場合、室外熱交換器１１は蒸発器として機能し、第１室内熱交換器１４及び第２室内熱交換器１５は凝縮器として機能する。四方弁１６は、第１室外機３に収納されている。なお、第１室内熱交換器１４を凝縮器として機能させる必要が無い場合、四方弁１６を設ける必要はない。
【００２０】
図３に示すように、第２冷媒回路２は、圧縮機２０、第３室内熱交換器２１、膨張弁２２、及び室外熱交換器２３を備えている。圧縮機２０は、冷媒を圧縮するものである。第３室内熱交換器２１は、凝縮器として機能する熱交換器である。第３室内熱交換器２１は、圧縮機２０の吐出口と接続されている。また、第３室内熱交換器２１は、膨張弁２２を介して室外熱交換器２３とも接続されている。膨張弁２２は、冷媒を膨張させて減圧させるものである。また、膨張弁２２は、第３室内熱交換器２１に流れる冷媒の量を調節するものである。室外熱交換器２３は、蒸発器として機能する熱交換器である。室外熱交換器２３は、上述のように、膨張弁２２を介して第３室内熱交換器２１に接続されている。また、室外熱交換器２３は、圧縮機２０の吸入口と接続されている。
【００２１】
また、本実施の形態１に係る第２冷媒回路２は、圧縮機２０の吐出側に設けられた四方弁２４を備えている。この四方弁２４は、圧縮機２０の吐出口の接続先を、切り替えるものである。詳しくは、圧縮機２０の吐出口が第３室内熱交換器２１と接続される状態に四方弁２４の流路がなっている場合、圧縮機１０の吸入口は室外熱交換器２３と接続される。この場合、第３室内熱交換器２１は凝縮器として機能し、室外熱交換器２３は蒸発器として機能する。また、圧縮機２０の吐出口が室外熱交換器２３と接続される状態に四方弁２４の流路がなっている場合、圧縮機２０の吸入口は、第３室内熱交換器２１と接続される。この場合、第３室内熱交換器２１は蒸発器として機能し、室外熱交換器２３は凝縮器として機能する。なお、第３室内熱交換器２１を蒸発器として機能させる必要が無い場合、四方弁２４を設ける必要はない。
【００２２】
第２冷媒回路２の構成のうち、圧縮機２０、室外熱交換器２３及び四方弁２４は、第２室外機８に収納されている。また、第２室外機８には、室外機ファン２５も収納されている。室外機ファン２５は、室外熱交換器２３に、該室外熱交換器２３を流れる冷媒の熱交換対象である外気を供給するものである。
【００２３】
第２冷媒回路２の構成のうち、第３室内熱交換器２１及び膨張弁２２は、外気供給ユニット３０の第２筐体３１に収納されている。
【００２４】
図１及び図４を用いて外気供給ユニット３０の詳細について説明する。外気供給ユニット３０の第２筐体３１は、第２吸込口３２及び第２吹出口３３を備えている。第２吸込口３２は、第２筐体３１に外気を取り込むための吸込口である。第２吸込口３２は、例えばダクト等を介して、屋外と連通している。第２吹出口３３は、第２筐体３１に取り込まれた外気を第２筐体３１外へ吹き出すための吹出口である。第２吹出口３３は、例えばダクト等を介して、部屋１０１内と連通している。また、第２筐体３１には、給気用ファン３６が収納されている。給気用ファン３６が回転することにより、第２吸込口３２から第２筐体３１に外気が吸い込まれ、第２筐体３１に吸い込まれた外気が第２吹出口３３から部屋１０１内へ吹き出される。
【００２５】
ここで、上述のように、第２筐体３１には、第１冷媒回路１の第２室内熱交換器１５及び第２冷媒回路２の第３室内熱交換器２１が収納されている。そして、第２吸込口３２から第２吹出口３３へ至る外気の流れ方向において、第２室内熱交換器１５は第３室内熱交換器２１の上流側に配置されている。すなわち、外気供給ユニット３０が後述の再熱除湿動作を行う場合、第２筐体３１に吸い込まれた外気は、蒸発器として機能する第２室内熱交換器１５を流れる冷媒によって冷却されて除湿される。そして、除湿された外気は、凝縮器として機能する第３室内熱交換器２１を流れる冷媒によって加熱されて部屋１０１内に吹き出される。
【００２６】
なお、本実施の形態１に係る第２筐体３１は、第３吸込口３４及び第３吹出口３５も備えている。第３吸込口３４は、第２筐体３１に部屋１０１内の空気を取り込むための吸込口である。第３吸込口３４は、例えばダクト等を介して、部屋１０１内と連通している。第３吹出口３５は、第２筐体３１に取り込まれた部屋１０１内の空気を第２筐体３１外へ吹き出すための吹出口である。第３吹出口３５は、例えばダクト等を介して、屋外と連通している。また、第２筐体３１には、排気用ファン３７が収納されている。排気用ファン３７が回転することにより、第３吸込口３４から第２筐体３１に部屋１０１内の空気が吸い込まれ、第２筐体３１に吸い込まれた部屋１０１内の空気が第３吹出口３５から屋外へ吹き出される。また、本実施の形態１に係る第２筐体３１には、第２吸込口３２から吸い込まれた外気と第３吸込口３４から吸い込まれた部屋１０１内の空気とが熱交換する全熱交換器３８も設けられている。
【００２７】
また、空気調和システム１００は、複数のセンサー、及び、これらのセンサーの検出値に基づいて空気調和システム１００の各構成を制御する制御装置５０を備えている。
【００２８】
具体的には、空気調和システム１００は、部屋１０１内の空気の乾球温度つまり空調対象空間の空気の乾球温度を検出する温度センサー４１を備えている。温度センサー４１は、室内機４の第１吸込口６周辺に設けられている。なお、空調対象空間の空気の乾球温度を検出できれば、温度センサー４１の位置は任意である。また、空気調和システム１００は、部屋１０１内の空気の絶対湿度つまり空調対象空間の空気の絶対湿度を検出する湿度センサー４２を備えている。湿度センサー４２は、外気供給ユニット３０の第３吸込口３４周辺に設けられている。なお、空調対象空間の空気の絶対湿度を検出できれば、湿度センサー４２の位置は任意である。また、空気調和システム１００は、外気供給ユニット３０の第２吹出口３３から吹き出される空気の乾球温度を検出する温度センサー４３を備えている。温度センサー４３は、外気供給ユニット３０の第２吹出口３３周辺に設けられている。なお、外気供給ユニット３０の第２吹出口３３から吹き出される空気の乾球温度を検出できれば、温度センサー４３の位置は任意である。また、以下では、単に温度と表現している場合、乾球温度を示すこととする。また、以下では、単に湿度と表現している場合、絶対湿度を示すこととする。
【００２９】
図５は、本発明の実施の形態１に係る空気調和システムの制御装置を示すブロック図である。
制御装置５０は、専用のハードウェア、又はメモリに格納されるプログラムを実行するＣＰＵ（Ｃｅｎｔｒａｌ  Ｐｒｏｃｅｓｓｉｎｇ  Ｕｎｉｔ）で構成されている。なお、ＣＰＵは、中央処理装置、処理装置、演算装置、マイクロプロセッサ、マイクロコンピュータ、又はプロセッサともいう。
【００３０】
制御装置５０が専用のハードウェアである場合、制御装置５０は、例えば、単一回路、複合回路、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、又はこれらを組み合わせたものが該当する。制御装置５０が実現する各機能部のそれぞれを、個別のハードウェアで実現してもよいし、各機能部を一つのハードウェアで実現してもよい。
【００３１】
制御装置５０がＣＰＵの場合、制御装置５０が実行する各機能は、ソフトウェア、ファームウェア、又はソフトウェアとファームウェアとの組み合わせにより実現される。ソフトウェア及びファームウェアはプログラムとして記述され、メモリに格納される。ＣＰＵは、メモリに格納されたプログラムを読み出して実行することにより、制御装置５０の各機能を実現する。ここで、メモリは、例えば、ＲＡＭ、ＲＯＭ、フラッシュメモリ、ＥＰＲＯＭ、又はＥＥＰＲＯＭ等の、不揮発性又は揮発性の半導体メモリである。
【００３２】
制御装置５０の機能の一部を専用のハードウェアで実現し、一部をソフトウェア又はファームウェアで実現するようにしてもよい。
【００３３】
本実施の形態１に係る制御装置５０は、機能部として、入力部５１、演算部５２、制御部５３及び記憶部５４備えている。入力部５１は、温度センサー４１、湿度センサー４２及び温度センサー４３の検出値等が入力される機能部である。入力部５１には、図示せぬリモートコントローラ等から、室内機４及び外気供給ユニット３０の動作モード等も入力される。演算部５２は、入力部５１に入力された情報及び記憶部５４に記憶されている情報に基づいて、空気調和システム１００の各構成の制御目標値等を演算する機能部である。制御部５３は、演算部５２が演算した制御目標値等に基づいて、空気調和システム１００の各構成を制御する機能部である。記憶部５４は、入力部５１に入力された情報、制御部５３が用いる設定値及び制御目標値等を記憶する機能部である。
【００３４】
続いて、外気供給ユニット３０の再熱除湿動作について説明する。なお、再熱除湿動作とは、除湿された外気を加熱して、加熱された外気を空調対象空間である部屋１０１内に供給する外気供給ユニット３０の動作である。
本実施の形態１に係る空気調和システム１００では、顕熱負荷が小さくて潜熱負荷が大きい環境に部屋１０１内がなっている場合、外気供給ユニット３０が再熱除湿動作を行う。また、本実施の形態１に係る空気調和システム１００では、部屋１０１内の顕熱負荷及び潜熱負荷は、例えば以下のように判断している。なお、ユーザが図示せぬリモートコントローラを用いて、外気供給ユニット３０に再熱除湿動作を行わせるよう、空気調和システム１００の制御装置５０に指示してもよい。
【００３５】
本実施の形態１では、部屋１０１内の顕熱負荷を判断する際、制御装置５０の演算部５２は、温度センサー４１の検出温度から室内目標温度を減算した差であるΔＴを算出する。なお、室内目標温度は、記憶部５４に予め記憶されている。そして、本実施の形態１では、ΔＴが予め記憶部５４に記憶された規定範囲内であるとき、部屋１０１内の顕熱負荷が小さいとしている。ΔＴの算出は、第１冷媒回路１が動作しているときだけでなく、第１冷媒回路１が停止しているときにも行われる。
【００３６】
本実施の形態１では、部屋１０１内の潜熱負荷を判断する際、制御装置５０の演算部５２は、湿度センサー４２の検出湿度から室内目標湿度を減算した差であるΔＸを算出する。なお、室内目標湿度は、記憶部５４に予め記憶されている。そして、本実施の形態１では、ΔＸが予め記憶部５４に記憶された閾値よりも大きいとき、部屋１０１内の潜熱負荷が大きいとしている。
【００３７】
そして、ΔＴが予め記憶部５４に記憶された規定範囲内であり、ΔＸが予め記憶部５４に記憶された閾値よりも大きいとき、制御装置５０の制御部５３は、外気供給ユニット３０の再熱除湿動作を開始する。
【００３８】
なお、室内機４毎に温度センサー４１が設けられている場合等、空気調和システム１００が複数の温度センサー４１を備えている場合、演算部５２は、全ての温度センサー４１の検出温度を用いて、ΔＴを算出する。そして、本実施の形態１では、全てのΔＴが予め記憶部５４に記憶された規定範囲内であるとき、部屋１０１内の顕熱負荷が小さいとしている。
【００３９】
外気供給ユニット３０が再熱除湿動作を行う場合、制御部５３は、第２室内熱交換器１５が蒸発器として機能するように、第１冷媒回路１の四方弁１６の流路を切り替える。そして、制御部５３は、第１冷媒回路１を起動する。なお、第２室内熱交換器１５が蒸発器として機能する際、第１冷媒回路１の第１室内熱交換器１４も蒸発器として機能する。このため、冷房運転を行っていない室内機４がある場合、制御部５３は、冷房運転をおこなっていない室内機４の第１室内熱交換器１４に冷媒が流れないようにするため、冷房運転をおこなっていない室内機４の膨張弁１２を閉じる。また、制御部５３は、第３室内熱交換器２１が凝縮器として機能するように、第２冷媒回路２の四方弁２４の流路を切り替える。そして、制御部５３は、第２冷媒回路２を起動する。これにより、外気供給ユニット３０の第２筐体３１に吸い込まれた外気は、蒸発器として機能する第２室内熱交換器１５を流れる冷媒によって冷却されて除湿される。そして、除湿された外気は、凝縮器として機能する第３室内熱交換器２１を流れる冷媒によって加熱されて部屋１０１内に吹き出される。
【００４０】
図６は、本発明の実施の形態１に係る空気調和システムにおいて外気供給ユニットが再熱除湿動作を行っている際の、外気供給ユニットを通過する外気の状態変化を示した空気線図である。なお、図６の縦軸が絶対温度を示しており、図６の横軸が乾球温度を示している。
【００４１】
外気供給ユニット３０が再熱除湿動作を行っている際、第２吸込口３２から第２筐体３１に吸い込まれた外気の状態を点ＯＡとする。第２筐体３１に吸い込まれた点ＯＡの状態の外気は、全熱交換器３８を通過する際、第３吸込口３４から第２筐体３１に吸い込まれた部屋１０１内の空気と熱交換して冷却され、点Ｔ１の状態となる。全熱交換器３８を通過して点Ｔ１の状態となった外気は、蒸発器として機能する第２室内熱交換器１５を通過する際、第２室内熱交換器１５を流れる冷媒によって冷却されて除湿され、点Ｔ２の状態となる。第２室内熱交換器１５から流出した点Ｔ２の状態の外気は、凝縮器として機能する第３室内熱交換器２１を通過する際、第３室内熱交換器２１を流れる冷媒によって加熱されて、点ＳＡの状態となる。そして、第３室内熱交換器２１から流出した点ＳＡの状態の外気が、第２筐体３１の第２吹出口３３から吹き出され、部屋１０１内に供給される。
【００４２】
このように本実施の形態１に係る空気調和システム１００においては、外気供給ユニット３０が再熱除湿動作を行う際、第１冷媒回路１の第２室内熱交換器１５で除湿された外気は、第１冷媒回路１とは異なる第２冷媒回路２の第３室内熱交換器２１で加熱される。このため、本実施の形態１に係る空気調和システム１００は、再熱除湿動作の際に外気供給ユニット３０から吹き出される空気の温度を制御することができる。また、本実施の形態１に係る外気供給ユニット３０は、室内機４に収納された第１室内熱交換器１４を有する第１冷媒回路１と、外気供給ユニット３０に収納された第３室内熱交換器２１を有する第２冷媒回路２とを用いて、再熱除湿動作を行うことができる。すなわち、本実施の形態１に係る空気調和システム１００においては、外気供給ユニット３０が再熱除湿動作を行う際、第１冷媒回路１及び第２冷媒回路２以外に、ヒータ等の新たな熱源を必要としない。このため、本実施の形態１に係る空気調和システム１００は、コストの上昇を抑制することもできる。
【００４３】
ここで、本実施の形態１に係る空気調和システム１００においては、外気供給ユニット３０が再熱除湿動作を行う際、部屋１０１内つまり空調対象空間の空気の湿度が大きいほど、第２室内熱交換器１５を流れる冷媒の蒸発温度を低くしている。換言すると、部屋１０１内の空気の湿度が第１絶対湿度となっている状態を第１湿度状態とする。また、部屋１０１内の空気の湿度が第１絶対湿度よりも低い第２絶対湿度となっている状態を第２湿度状態とする。このように定義した場合、本実施の形態１に係る空気調和システム１００においては、外気供給ユニット３０が再熱除湿動作を行う際、第１湿度状態において第２室内熱交換器１５を流れる冷媒の蒸発温度は、第２湿度状態において第２室内熱交換器１５を流れる冷媒の蒸発温度よりも低い。
【００４４】
再熱除湿動作時、第２室内熱交換器１５を流れる冷媒の蒸発温度を低くした方が、外気から多くの水分を除去することができる。このため、上述のように部屋１０１内の空気の湿度に応じて第２室内熱交換器１５を流れる冷媒の蒸発温度を異ならせることにより、部屋１０１内の顕熱負荷をより早期に処理することができる。すなわち、部屋１０１内の空気の湿度をより早期に室内目標湿度に近づけることができる。
【００４５】
具体的には、本実施の形態１では、制御装置５０の演算部５２は、第２室内熱交換器１５を流れる冷媒の蒸発温度の制御目標値である目標蒸発温度ＴＥＩを次のように決定している。そして、制御部５３は、再熱除湿動作時、第２室内熱交換器１５を流れる冷媒の蒸発温度が目標蒸発温度ＴＥＩとなるように、第１冷媒回路１の圧縮機１０の回転数及び膨張弁１３の開度等を制御している。演算部５２は、湿度センサー４２の検出湿度から室内目標湿度を減算した差であるΔＸを算出する。演算部５２は、ΔＸが大きいときには目標蒸発温度ＴＥＩを下げ、ΔＸが小さいときには目標蒸発温度ＴＥＩを上げる。例えば、演算部５２は、図７に示すように、目標蒸発温度ＴＥＩを決定する。
【００４６】
図７は、本発明の実施の形態１に係る空気調和システムにおける第２室内熱交換器の目標蒸発温度の決定方法の一例を説明するための図である。
【００４７】
記憶部５４には、予め、第２室内熱交換器１５を流れる冷媒の目標蒸発温度ＴＥＩの上限値ＴＥＩｍａｘ及び下限値ＴＥＩｍｉｎが記憶されている。演算部５２は、ΔＸ＜０のとき、目標蒸発温度ＴＥＩを上限値ＴＥＩｍａｘとする。また、演算部５２は、ΔＸ＞ΔＸ１のとき、目標蒸発温度ＴＥＩを下限値ＴＥＩｍｉｎとする。また、０≦ΔＸ≦ΔＸ１のとき、演算部５２は、ΔＸと目標蒸発温度ＴＥＩとが比例関係にあるとして、記憶部５４に記憶されている計算式又はマップ等に基づき、上限値ＴＥＩｍａｘと下限値ＴＥＩｍｉｎとの間で目標蒸発温度ＴＥＩを決定する。ここで、ΔＸ１は、室内目標湿度からの室内空間湿度の許容される上昇幅であり、記憶部５４に記憶されている。ΔＸ１は、予め設定しておいてもよいし、ユーザ等により任意に変更できるようにしてもよい。
【００４８】
なお、第２室内熱交換器１５の蒸発温度が上限値ＴＥＩｍａｘとなっている状態においてΔＸが低下していき、ΔＸが予め記憶部５４に記憶されている閾値ΔＸｍｉｎを下回る場合、制御部５３は、圧縮機１０を停止する。また、圧縮機１０の停止後、ΔＸが予め記憶部５４に記憶されている閾値ΔＸｍｉｎを上回った場合、制御部５３は、圧縮機１０を再度起動する。
【００４９】
また、本実施の形態１に係る空気調和システム１００においては、外気供給ユニット３０が再熱除湿動作を行う際、外気供給ユニット３０の第２吹出口３３から吹き出される空気の温度に基づいて、第３室内熱交換器２１を流れる冷媒の凝縮温度を変更している。詳しくは、外気供給ユニット３０の第２吹出口３３から吹き出される空気の温度が第１温度となっている状態を第１吹出状態とする。また、外気供給ユニット３０の第２吹出口３３から吹き出される空気の温度が第１温度よりも低い第２温度となっている状態を第２吹出状態とする。このように定義した場合、本実施の形態１に係る空気調和システム１００においては、外気供給ユニット３０が再熱除湿動作を行う際、第１吹出状態において第３室内熱交換器２１を流れる冷媒の凝縮温度は、第２吹出状態において第３室内熱交換器２１を流れる冷媒の凝縮温度よりも低い。このように外気供給ユニット３０の第２吹出口３３から吹き出される空気の温度に基づいて第３室内熱交換器２１を流れる冷媒の凝縮温度を変更することにより、第２吹出口３３から吹き出される空気の温度が過剰に上昇することを防止することができる。
【００５０】
具体的には、本実施の形態１では、制御装置５０の演算部５２は、予め記憶部５４に記憶されている目標吹出温度から温度センサー４３の検出温度を減算した差であるΔＴＳＡを算出する。そして、演算部５２は、ΔＴＳＡが大きいときには、第３室内熱交換器２１を流れる冷媒の凝縮温度の制御目標値である目標凝縮温度ＴＣＯを下げる。また、演算部５２は、ΔＴＳＡが小さいときには、目標凝縮温度ＴＣＯを上げる。そして、制御部５３は、再熱除湿動作時、第３室内熱交換器２１を流れる冷媒の凝縮温度が目標凝縮温度ＴＣＯとなるように、第２冷媒回路２の圧縮機２０の回転数等を制御する。なお、本実施の形態１では、再熱除湿動作時、膨張弁２２の開度は規定開度に固定されている。例えば、演算部５２は、図８に示すように、目標凝縮温度ＴＣＯを決定する。
【００５１】
図８は、本発明の実施の形態１に係る空気調和システムにおける第３室内熱交換器の目標凝縮温度の決定方法の一例を説明するための図である。
【００５２】
記憶部５４には、予め、第３室内熱交換器２１を流れる冷媒の目標凝縮温度ＴＣＯの上限値ＴＣＯｍａｘ及び下限値ＴＣＯｍｉｎが記憶されている。演算部５２は、ΔＴＳＡ＜０のとき、目標凝縮温度ＴＣＯを下限値ＴＣＯｍｉｎとする。また、演算部５２は、ΔＴＳＡ＞ΔＴＳＡ１のとき、目標凝縮温度ＴＣＯを上限値ＴＣＯｍａｘとする。また、０≦ΔＴＳＡ≦ΔＴＳＡ１のとき、演算部５２は、ΔＴＳＡと目標凝縮温度ＴＣＯとが比例関係にあるとして、記憶部５４に記憶されている計算式又はマップ等に基づき、上限値ＴＣＯｍａｘと下限値ＴＣＯｍｉｎとの間で目標凝縮温度ＴＣＯを決定する。ここで、ΔＴＳＡ１は、外気供給ユニット３０の第２吹出口３３から吹き出される空気の温度の目標吹出温度からの許容される低下幅であり、記憶部５４に記憶されている。ΔＴＳＡ１は、予め設定しておいてもよいし、ユーザ等により任意に変更できるようにしてもよい。
【００５３】
なお、第３室内熱交換器２１の凝縮温度が下限値ＴＣＯｍｉｎとなっている状態においてΔＴＳＡが低下していき、ΔＴＳＡが予め記憶部５４に記憶されている閾値ΔＴＳＡｍｉｎを下回る場合、制御部５３は、圧縮機２０を停止する。なお、ΔＴＳＡが予め記憶部５４に記憶されている閾値ΔＴＳＡｍｉｎを上回った場合、制御部５３は、圧縮機２０を再度起動する。あるいは、第３室内熱交換器２１の凝縮温度が下限値ＴＣＯｍｉｎとなっている状態においてΔＴＳＡが低下していき、ΔＴＳＡが閾値ΔＴＳＡｍｉｎを下回る場合、制御部５３は、膨張弁２２の開度を既定値よりも小さくしてもよい。すなわち、第３室内熱交換器２１を流れる冷媒量を減少させてもよい。換言すると、第３室内熱交換器２１を流れる冷媒の凝縮温度が一定になっている状態において、外気供給ユニット３０の第２吹出口３３から吹き出される空気の温度が低下する場合、膨張弁２２の開度が小さくなる。これにより、外気供給ユニット３０の第２吹出口３３から吹き出される空気の温度が過剰に上昇することをさらに防止することができる。
【００５４】
本実施の形態１の最後に、外気供給ユニット３０が再熱除湿動作を行う際の制御フローの一例を紹介する。
【００５５】
図９は、本発明の実施の形態１に係る空気調和システムにおいて外気供給ユニットが再熱除湿動作を行う際の制御フローの一例を示す図である。
外気供給ユニット３０の再熱除湿動作が開始されると、ステップＳ１において演算部５２は、湿度センサー４２の検出湿度から室内目標湿度を減算した差であるΔＸと、目標吹出温度から温度センサー４３の検出温度を減算した差であるΔＴＳＡとを算出する。そして、ステップＳ２において演算部５２は、例えば図７で説明したように、第２室内熱交換器１５を流れる冷媒の目標蒸発温度ＴＥＩを算出する。また、ステップＳ２において演算部５２は、例えば図８で説明したように、第３室内熱交換器２１を流れる冷媒の目標凝縮温度ＴＣＯを算出する。
【００５６】
ステップＳ２の後、ステップＳ３において演算部５２は、ΔＸが閾値ΔＸｍｉｎよりも小さいか否かを比較する。ΔＸが閾値ΔＸｍｉｎよりも小さい場合、ステップＳ４において制御部５３は、第１冷媒回路１の圧縮機１０を停止する。一方、ΔＸが閾値ΔＸｍｉｎ以上の場合、ステップＳ５において制御部５３は、圧縮機１０を駆動する。
【００５７】
ステップＳ４又はステップＳ５の後、ステップＳ６において演算部５２は、ΔＴＳＡが閾値ΔＴＳＡｍｉｎよりも小さいか否かを比較する。ΔＴＳＡが閾値ΔＴＳＡｍｉｎよりも小さい場合、ステップＳ７において制御部５３は、第２冷媒回路２の圧縮機２０を停止する。あるいは、ΔＴＳＡが閾値ΔＴＳＡｍｉｎよりも小さい場合、ステップＳ７において制御部５３は、第２冷媒回路２の膨張弁２２の開度を規定値よりも小さくする。一方、ΔＴＳＡが閾値ΔＴＳＡｍｉｎ以上の場合、ステップＳ８において制御部５３は、圧縮機１０を駆動し、膨張弁２２の開度を規定値とする。
【００５８】
ステップＳ７又はステップＳ８の後のステップＳ９は、再熱除湿動作が終了する状態か否かを判定するステップである。例えば、上述のようにΔＸと、温度センサー４１の検出温度から室内目標温度を減算した差であるΔＴとに基づき、再熱除湿動作を開始する場合、ΔＸ又はΔＴが再熱除湿動作の開始条件から外れた場合、再熱除湿動作が終了する状態となる。また例えば、ユーザが図示せぬリモートコントローラを用いて再熱除湿動作の終了指示をした場合、再熱除湿動作が終了する状態となる。ステップＳ９において再熱除湿動作が終了する状態となっている場合、再熱除湿動作は終了する。一方、ステップＳ９において再熱除湿動作が終了する状態となっていない場合、上述のステップＳ１に戻る。
【００５９】
以上、本実施の形態１に係る空気調和システム１００は、第１冷媒回路１と、第２冷媒回路２と、室内機４と、外気供給ユニット３０とを備えている。第１冷媒回路１は、第１室内熱交換器１４、及び蒸発器として機能する第２室内熱交換器１５を有している。第２冷媒回路２は、凝縮器として機能する第３室内熱交換器２１を有している。室内機４は、第１吸込口６及び第１吹出口７を備えており第１室内熱交換器１４が収納された第１筐体５を有している。外気供給ユニット３０は、第２吸込口３２及び第２吹出口３３を備えており第２室内熱交換器１５及び第３室内熱交換器２１が収納された第２筐体３１を有している。室内機４では、第１吸込口６から第１筐体５に吸い込まれた空調対象空間の空気と第１室内熱交換器１４を流れる冷媒との間で熱交換が行われ、熱交換後の空気が第１吹出口７から吹き出される。外気供給ユニット３０では、第２吸込口３２から第２筐体３１に吸い込まれた外気が第２吹出口３３から吹き出される。そして、第２吸込口３２から第２吹出口３３へ至る外気の流れ方向において、第２室内熱交換器１５が第３室内熱交換器２１の上流側に配置されている。
【００６０】
このように構成された本実施の形態１に係る空気調和システム１００は、上述のように、再熱除湿動作の際に外気供給ユニット３０から吹き出される空気の温度を制御することができる。また、本実施の形態１に係る空気調和システム１００の外気供給ユニット３０では、ヒータ等の新たな熱源を外気供給ユニット３０に設ける必要がない。このため、本実施の形態１に係る空気調和システム１００は、コストの上昇を抑制することもできる。
【００６１】
実施の形態２．
第２室内熱交換器１５を流れる冷媒の目標蒸発温度ＴＥＩを、本実施の形態２のように決定してもよい。なお、本実施の形態２において、特に記述しない項目については実施の形態１と同様とし、実施の形態１と同一の機能及び構成については同一の符号を用いて述べることとする。
【００６２】
本実施の形態２に係る空気調和システム１００の制御装置５０の演算部５２は、潜熱負荷の推定値に応じて、第２室内熱交換器１５を流れる冷媒の目標蒸発温度ＴＥＩを決定する。なお、潜熱負荷の推定値の推算方法は、特に限定されず、種々の公知の推算方法で求めることができる。例えば、潜熱負荷の推定値は、外気温度の湿度、及び部屋１０１内に存在する人の数等に基づいて推算することができる。すなわち、実施の形態１に示した空気調和システム１００に対して、潜熱負荷の推定値を推算する際に必要な情報を検出する検出装置を追加することにより、本実施の形態２に係る空気調和システム１００となる。
【００６３】
部屋１０１内の空気の湿度を検出する湿度センサー４２の検出値、及び外気供給ユニット３０の第２吹出口３３から部屋１０１内に吹き出される外気の流量に基づき、推算された潜熱負荷を規定時間内に処理するために必要な第２室内熱交換器１５を流れる冷媒の蒸発温度を算出することができる。なお、この算出は、演算部５２が行う。この際、算出された蒸発温度が目標蒸発温度ＴＥＩの上限値ＴＥＩｍａｘ以下であり下限値ＴＥＩｍｉｎ以上の場合、演算部５２は、算出された蒸発温度を、第２室内熱交換器１５を流れる冷媒の目標蒸発温度ＴＥＩとする。また、演算部５２は、算出された蒸発温度が上限値ＴＥＩｍａｘを上回る場合、第２室内熱交換器１５を流れる冷媒の目標蒸発温度ＴＥＩを上限値ＴＥＩｍａｘとする。また、演算部５２は、算出された蒸発温度が下限値ＴＥＩｍｉｎを下回る場合、第２室内熱交換器１５を流れる冷媒の目標蒸発温度ＴＥＩを下限値ＴＥＩｍｉｎとする。
【００６４】
また、潜熱負荷の推算値が０の場合には、第１冷媒回路１の圧縮機１０を停止する。そして、潜熱負荷の推算値が０を上回った場合には、第１冷媒回路１の圧縮機１０を再度起動する。なお、本実施の形態２に係る再熱除湿動作において、目標蒸発温度ＴＥＩの決定方法以外の動作は、実施の形態１と同様である。
【００６５】
以上、本実施の形態２のように空気調和システム１００を構成しても、実施の形態１と同様に、再熱除湿動作の際に外気供給ユニット３０から吹き出される空気の温度を制御することができ、空気調和システム１００のコストの上昇を抑制することもできる。また、本実施の形態２に係る空気調和システム１００は、空調負荷に応じて第２室内熱交換器１５を流れる冷媒の目標蒸発温度ＴＥＩを決定できるため、部屋１０１内の快適性を維持しながら、空気調和システム１００の効率向上によって消費電力を抑えることができる。
【符号の説明】
【００６６】
１  第１冷媒回路、２  第２冷媒回路、３  第１室外機、４  室内機、５  第１筐体、６  第１吸込口、７  第１吹出口、８  第２室外機、１０  圧縮機、１１  室外熱交換器、１２  膨張弁、１３  膨張弁、１４  第１室内熱交換器、１５  第２室内熱交換器、１６  四方弁、１７  室外機ファン、１８  室内機ファン、２０  圧縮機、２１  第３室内熱交換器、２２  膨張弁、２３  室外熱交換器、２４  四方弁、２５  室外機ファン、３０  外気供給ユニット、３１  第２筐体、３２  第２吸込口、３３  第２吹出口、３４  第３吸込口、３５  第３吹出口、３６  給気用ファン、３７  排気用ファン、３８  全熱交換器、４１  温度センサー、４２  湿度センサー、４３  温度センサー、５０  制御装置、５１  入力部、５２  演算部、５３  制御部、５４  記憶部、１００  空気調和システム、１０１  部屋、１０２  天井裏。
【図１】
2019193680.tif 000003
【図２】
2019193680.tif 000004
【図３】
2019193680.tif 000005
【図４】
2019193680.tif 000006
【図５】
2019193680.tif 000007
【図６】
2019193680.tif 000008
【図７】
2019193680.tif 000009
【図８】
2019193680.tif 000010
【図９】
2019193680.tif 000011
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
第１室内熱交換器、及び蒸発器として機能する第２室内熱交換器を有する第１冷媒回路と、
凝縮器として機能する第３室内熱交換器を有する第２冷媒回路と、
第１吸込口及び第１吹出口を備えており前記第１室内熱交換器が収納された第１筐体を有する室内機と、
第２吸込口及び第２吹出口を備えており前記第２室内熱交換器及び前記第３室内熱交換器が収納された第２筐体を有する外気供給ユニットと、
を備え、
前記室内機では、前記第１吸込口から前記第１筐体に吸い込まれた空調対象空間の空気と前記第１室内熱交換器を流れる冷媒との間で熱交換が行われ、熱交換後の空気が前記第１吹出口から吹き出され、
前記外気供給ユニットでは、前記第２吸込口から前記第２筐体に吸い込まれた外気が前記第２吹出口から吹き出され、
前記第２吸込口から前記第２吹出口へ至る外気の流れ方向において、
前記第２室内熱交換器が前記第３室内熱交換器の上流側に配置されている空気調和システム。
【請求項２】
前記空調対象空間の空気の絶対湿度が第１絶対湿度となっている状態を第１湿度状態とし、
前記空調対象空間の空気の絶対湿度が前記第１絶対湿度よりも低い第２絶対湿度となっている状態を第２湿度状態とした場合、
前記第１湿度状態において前記第２室内熱交換器を流れる冷媒の蒸発温度は、前記第２湿度状態において前記第２室内熱交換器を流れる冷媒の蒸発温度よりも低い請求項１に記載の空気調和システム。
【請求項３】
前記外気供給ユニットの前記第２吹出口から吹き出される空気の温度が第１温度となっている状態を第１吹出状態とし、
前記外気供給ユニットの前記第２吹出口から吹き出される空気の温度が前記第１温度よりも低い第２温度となっている状態を第２吹出状態とした場合、
前記第１吹出状態において前記第３室内熱交換器を流れる冷媒の凝縮温度は、前記第２吹出状態において前記第３室内熱交換器を流れる冷媒の凝縮温度よりも低い請求項１又は請求項２に記載の空気調和システム。
【請求項４】
前記第２冷媒回路は、前記第３室内熱交換器に流れる冷媒の量を調節する膨張弁を備え、
前記第３室内熱交換器を流れる冷媒の凝縮温度が一定になっている状態において、前記外気供給ユニットの前記第２吹出口から吹き出される空気の温度が低下する場合、前記膨張弁の開度が小さくなる請求項１〜請求項３のいずれか一項に記載の空気調和システム。
【国際調査報告】
2019193680.tif 000012
2019193680.tif 000013
2019193680.tif 000014